(57)【要約】【課題】処理の量を抑制し、伝送されるデータの量を抑制しつつ、良好な伝搬環境を得られる場所にユーザを導くことができる無線通信システムを提供する。【解決手段】通信端末１００が、自身の現在位置を取得するＧＰＳ部１０７と、自身の現在の通信状態パラメータを取得する無線部１０６と、通信状態パラメータが第１の閾値未満であれば伝搬環境が良好である位置を問い合わせる位置取得要求を位置情報サービス装置１０に送信する演算部１０４とを有し、位置情報サービス装置が、伝搬環境が良好である位置情報を記憶する位置情報データベース１４と、位置取得要求に対応して位置情報データベースを検索して位置情報を返信する判定部１１とを有し、通信端末が位置情報を受信すると、演算部が現在位置と位置情報との間の距離と方向を算出する。【選択図】図１
2009135648.tif 000002
【特許請求の範囲】
【請求項１】
通信端末と位置情報サービス装置からなる無線通信システムであって、
前記通信端末が、
自身の現在位置を取得するＧＰＳ部と、
自身の現在の通信状態パラメータを取得する無線部と、
前記通信状態パラメータが第１の閾値未満であれば伝搬環境が良好である位置を問い合わせる位置取得要求を前記位置情報サービス装置に送信する演算部とを有し、
前記位置情報サービス装置が、
伝搬環境が良好である位置に関する位置情報を記憶する位置情報データベースと、
前記位置取得要求に対応して前記位置情報データベースを検索し、該検索された位置情報を前記通信端末に返信する判定部とを有し、
前記通信端末が前記位置情報を前記位置情報サービス装置から受信すると、前記演算部が前記現在位置と前記位置情報との間の距離と方向を算出することを特徴とする無線通信システム。
【請求項２】
前記演算部が、前記通信状態パラメータが第２の閾値以上であれば前記現在位置および前記通信状態を前記位置情報サービス装置に送信し、
前記位置情報サービス装置が前記現在位置および前記通信状態を前記通信端末から受信すると、前記判定部が前記現在位置および前記通信状態パラメータを前記位置情報データベースに記憶することを特徴とする、請求項１に記載の無線通信システム。
【請求項３】
前記演算部が、前記通信状態パラメータが第１の閾値未満であれば前記現在位置を前記位置情報サービス装置に送信し、
前記判定部が、前記現在位置に最も近い前記位置情報を前記位置情報データベースから検索して前記通信端末に返信することを特徴とする、請求項２に記載の無線通信システム。
【請求項４】
前記判定部が、前記通信状態パラメータが最も高い前記位置情報を前記位置情報データベースから検索して前記通信端末に返信することを特徴とする、請求項２に記載の無線通信システム。
【請求項５】
前記通信端末が、自身の現在向いている方向を検知する方向センサを有し、
前記演算部が前記検知された方向に基づいて前記現在位置と前記位置情報との間の距離と方向を算出することを特徴とする、請求項２に記載の無線通信システム。
【請求項６】
前記演算部が、前記無線部から取得した前記通信状態パラメータの移動平均を算出してから前記第１の閾値および前記第２の閾値との比較を行うことを特徴とする、請求項２に記載の無線通信システム。
【請求項７】
前記判定部が、前記位置情報データベースの中で記録された時間から所定の時間が経過したデータを消去することを特徴とする、請求項２に記載の無線通信システム。
【請求項８】
前記位置情報サービス装置が、前記通信端末に対する無線信号を発射する無線部を有することを特徴とする、請求項２に記載の無線通信システム。
【請求項９】
位置情報サービス装置と通信可能な通信端末であって、
自身の現在位置を取得するＧＰＳ部と、
自身の現在の通信状態パラメータを取得する無線部と、
前記通信状態パラメータが第１の閾値未満であれば伝搬環境が良好である位置を問い合わせる位置取得要求を前記位置情報サービス装置に送信し、位置情報を前記位置情報サービス装置から受信すると前記演算部が前記現在位置と前記位置情報との間の距離と方向を算出する演算部と
を有することを特徴とする通信端末。
【請求項１０】
前記演算部が、前記通信状態パラメータが第２の閾値以上であれば前記現在位置および前記通信状態を前記位置情報サービス装置に送信することを特徴とする、請求項９に記載の通信端末。
【請求項１１】
自身の現在向いている方向を検知する方向センサを有し、
前記演算部が前記検知された方向に基づいて前記現在位置と前記位置情報との間の距離と方向を算出することを特徴とする、請求項１０に記載の通信端末。
【請求項１２】
前記演算部が、前記無線部から取得した前記通信状態パラメータの移動平均を算出してから前記第１の閾値および前記第２の閾値との比較を行うことを特徴とする、請求項１０に記載の通信端末。
【請求項１３】
通信端末と通信可能な位置情報サービス装置であって、
伝搬環境が良好である位置に関する位置情報を記憶する位置情報データベースと、
前記通信端末から位置取得要求を受信すると前記位置情報データベースを検索し、該検索された位置情報を前記通信端末に返信する判定部と
を有することを特徴とする位置情報サービス装置。
【請求項１４】
前記通信端末から現在位置および通信状態を受信すると、前記判定部が前記現在位置および前記通信状態パラメータを前記位置情報データベースに記憶することを特徴とする、請求項１３に記載の位置情報サービス装置。
【請求項１５】
前記判定部が、前記現在位置に最も近い前記位置情報を前記位置情報データベースから検索して前記通信端末に返信することを特徴とする、請求項１４に記載の位置情報サービス装置。
【請求項１６】
前記判定部が、前記通信状態パラメータが最も高い前記位置情報を前記位置情報データベースから検索して前記通信端末に返信することを特徴とする、請求項１４に記載の位置情報サービス装置。
【請求項１７】
前記判定部が、前記位置情報データベースの中で記録された時間から所定の時間が経過したデータを消去することを特徴とする、請求項１４に記載の位置情報サービス装置。
【請求項１８】
前記位置情報サービス装置が、前記通信端末に対する無線信号を発射する無線部を有することを特徴とする、請求項１４に記載の位置情報サービス装置。
【請求項１９】
通信端末と位置情報サービス装置からなる無線通信システムにあって、良好な伝搬環境を得られる位置を前記通信端末に通知する位置情報通知方法であって、
前記通信端末が、自身の現在位置を取得する位置取得工程と、
前記通信端末が、自身の現在の通信状態パラメータを取得するパラメータ取得工程と、
前記通信端末が、前記通信状態パラメータが第１の閾値未満であれば伝搬環境が良好である位置を問い合わせる位置取得要求を前記位置情報サービス装置に送信する位置取得要求工程と、
前記位置情報サービス装置が、前記位置取得要求に対応して自らがあらかじめ備える位置情報データベースを検索する検索工程と、
前記位置情報サービス装置が、前記検索工程で検索された位置情報を前記通信端末に返信する位置情報返信工程と、
前記通信端末が、前記位置情報を受信したことに反応して前記現在位置と前記位置情報との間の距離と方向を算出する距離算出工程と
を有することを特徴とする位置情報通知方法。
【請求項２０】
前記通信端末が、前記通信状態パラメータが第２の閾値以上であれば前記現在位置および前記通信状態を前記位置情報サービス装置に送信する現在位置送信工程と、
前記位置情報サービス装置が、前記通信端末から受信した前記現在位置および前記通信状態パラメータを前記位置情報データベースに記憶する現在位置記憶工程と
を有することを特徴とする、請求項１９に記載の位置情報通知方法。
【請求項２１】
通信端末と位置情報サービス装置からなる無線通信システムにあって、前記通信端末を構成するコンピュータに、
自身の現在位置を取得する処理と、
自身の現在の通信状態パラメータを取得する処理と、
前記通信状態パラメータが第１の閾値未満であれば伝搬環境が良好である位置を問い合わせる位置取得要求を前記位置情報サービス装置に送信する処理と、
前記位置情報サービス装置から前記位置情報を受信したことに反応して前記現在位置と前記位置情報との間の距離と方向を算出する処理と
を実行させることを特徴とする位置情報通知プログラム。
【請求項２２】
前記通信状態パラメータが第２の閾値以上であれば前記現在位置および前記通信状態を前記位置情報サービス装置に送信する処理を実行させることを特徴とする、請求項２１に記載の位置情報通知プログラム。
【請求項２３】
通信端末と位置情報サービス装置からなる無線通信システムにあって、前記位置情報サービス装置を構成するコンピュータに、
前記通信端末からの前記位置取得要求に対応して自らがあらかじめ備える位置情報データベースを検索する処理と、
前記検索された位置情報を前記通信端末に返信する処理と
を実行させることを特徴とする位置情報通知プログラム。
【請求項２４】
前記通信端末から現在位置および通信状態を受信すると、前記現在位置および前記通信状態パラメータを前記位置情報データベースに記憶する処理を実行させることを特徴とする、請求項２３に記載の位置情報通知プログラム。
【発明の詳細な説明】
【技術分野】
【０００１】
本発明は無線通信システムに関し、特に良好な伝搬環境を得られる位置にユーザを移動させることに関する。
【背景技術】
【０００２】
携帯電話の通信規格において、現在主流のいわゆる第三世代（３Ｇ）の中で特に高速データ通信規格に準拠したものを第三・五世代（３．５Ｇ）という。３．５Ｇに属する通信方式の一つに、Ｗ−ＣＤＭＡ（登録商標）の拡張であるＨＳＤＰＡ（High  Speed  Downlink  Packet  Access）がある。ＨＳＤＰＡにより、現状のＦＯＭＡと同じ５ＭＨｚの周波数帯域幅を使った場合でも、最大１４．４Ｍｂｐｓ（下り方向）の通信速度を得ることができる。
【０００３】
ＨＳＤＰＡの特徴の一つに、複数の変調方式を空中伝送路の伝搬環境に応じて使用する適応変調方式がある。より具体的には、伝搬環境が良好である場合にはより高い通信速度を得られる１６ＱＡＭ（16  Quadrature  Amplitude  Modulation）を適用し、伝搬環境が良好でない場合にはＱＰＳＫ（Quadrature  Phase  Shift  Keying）を適用する。これによって、通信全体としてはより高い通信速度を得ることになる。
【０００４】
その際、伝搬環境が良好であるか否かを表す指標となるのがＣＱＩ（Channel  Quality  Indicator）である。ＣＱＩは、基地局からのＰ−ＣＰＩＣＨ（Primary  Common  Pilot  Channel）の受信レベルに応じて、ＢＬＥＲ（Block  Error  Ratio）が１０％になるように携帯端末から基地局に送信される１から３０までの値である。携帯端末はＣＱＩの値を基地局に送信し、基地局は受信したＣＱＩの値に基づいて携帯端末に送信する変調方式やビットレートなどの通信フォーマットを決定する。
【０００５】
なお、携帯端末が基地局とのより良好な通信環境を得るための技術として、たとえば以下の文献がある。特許文献１には、携帯端末が現在の位置と通信品質を無線品質分布サーバに送信すると、無線品質分布サーバがより良好な通信環境を得られる位置の地図と方向・距離とを携帯端末に返信するという技術が開示されている。
【０００６】
特許文献２には、携帯端末から得られた通信品質と位置情報に基づいて、電波環境情報管理サーバが電波環境についての地図情報（たとえば等高線などのような形式）を作成するという技術が開示されている。特許文献３には、携帯端末から得られたＣＱＩなどの情報に基づいて、具体的に下りリンクの通信フォーマットを決定する例が開示されている。
【０００７】
【特許文献１】特開２００３−１９９１５８号公報
【特許文献２】特開２００５−２２３６３３号公報
【特許文献３】特開２００５−３１８４７０号公報
【発明の開示】
【発明が解決しようとする課題】
【０００８】
このように、携帯端末と基地局との間の伝搬環境が良好でないと、通信品質（通信速度など）がより低くなる通信フォーマットを携帯電話システムに選択されてしまう。より高い通信品質を得るためには、携帯端末をもつ利用者が、伝搬環境が良好である場所に移動する必要がある。
【０００９】
そのため、前述の特許文献１および２では、伝搬環境が良好である場所をユーザに提示し、ユーザがそこに移動することを可能としている。しかしながら、特許文献１の技術では、良好な通信環境を得られる位置と各々の携帯端末との距離を無線品質分布サーバの側で計算し、さらにその場所への地図がそのたびごとに携帯端末に送信されている。そのため、特に利用者が多くなると、無線品質分布サーバ内部での処理の量が膨大になり、また伝送される地図データの画像ファイルの量も膨大となる。
【００１０】
また、特許文献２の技術では、電波環境情報管理サーバが等高線などのような形式で地図情報を作成する処理の量が膨大であり、さらに地図情報の画像ファイルを携帯端末に送信する際のデータ量も膨大となる。そして、携帯端末に送信される情報は、統計学的な手法に基づいて得られたものであるので、実際の通信で得られる通信品質と異なっている可能性を否定することはできない。ちなみに特許文献３の技術は、伝搬環境が良好でない場合に、通信速度のより低い通信フォーマットを選択する方式について述べているに過ぎない。
【００１１】
本発明の目的は、基地局および携帯端末での処理の量を抑制し、またそれらの相互間で伝送されるデータの量を抑制しつつ、実際に良好な伝搬環境を得られる場所にユーザを導くことができる、無線通信システム、通信端末、位置情報サービス装置、伝搬環境通知方法およびプログラムを提供することにある。
【課題を解決するための手段】
【００１２】
上記目的を達成するため、本発明に係る無線通信システムは、通信端末と位置情報サービス装置からなる無線通信システムであって、通信端末が、自身の現在位置を取得するＧＰＳ部と、自身の現在の通信状態パラメータを取得する無線部と、通信状態パラメータが第１の閾値未満であれば伝搬環境が良好である位置を問い合わせる位置取得要求を位置情報サービス装置に送信する演算部とを有し、位置情報サービス装置が、伝搬環境が良好である位置に関する位置情報を記憶する位置情報データベースと、位置取得要求に対応して位置情報データベースを検索し、該検索された位置情報を通信端末に返信する判定部とを有し、通信端末が位置情報を位置情報サービス装置から受信すると、演算部が現在位置と位置情報との間の距離と方向を算出することを特徴とする。
【００１３】
上記目的を達成するため、本発明に係る通信端末は、位置情報サービス装置と通信可能な通信端末であって、自身の現在位置を取得するＧＰＳ部と、自身の現在の通信状態パラメータを取得する無線部と、通信状態パラメータが第１の閾値未満であれば伝搬環境が良好である位置を問い合わせる位置取得要求を位置情報サービス装置に送信し、位置情報を位置情報サービス装置から受信すると演算部が現在位置と位置情報との間の距離と方向を算出する演算部とを有することを特徴とする。
【００１４】
上記目的を達成するため、本発明に係る位置情報サービス装置は、通信端末と通信可能な位置情報サービス装置であって、伝搬環境が良好である位置に関する位置情報を記憶する位置情報データベースと、通信端末から位置取得要求を受信すると位置情報データベースを検索し、該検索された位置情報を通信端末に返信する判定部とを有することを特徴とする。
【００１５】
上記目的を達成するため、本発明に係る位置情報通知方法は、通信端末と位置情報サービス装置からなる無線通信システムにあって、良好な伝搬環境を得られる位置を通信端末に通知する位置情報通知方法であって、通信端末が、自身の現在位置を取得する位置取得工程と、通信端末が、自身の現在の通信状態パラメータを取得するパラメータ取得工程と、通信端末が、通信状態パラメータが第１の閾値未満であれば伝搬環境が良好である位置を問い合わせる位置取得要求を位置情報サービス装置に送信する位置取得要求工程と、位置情報サービス装置が、位置取得要求に対応して自らがあらかじめ備える位置情報データベースを検索する検索工程と、位置情報サービス装置が、検索工程で検索された位置情報を通信端末に返信する位置情報返信工程と、通信端末が、位置情報を受信したことに反応して現在位置と位置情報との間の距離と方向を算出する距離算出工程とを有することを特徴とする。
【００１６】
上記目的を達成するため、本発明に係る位置情報通知プログラムは、通信端末と位置情報サービス装置からなる無線通信システムにあって、通信端末を構成するコンピュータに、自身の現在位置を取得する処理と、自身の現在の通信状態パラメータを取得する処理と、通信状態パラメータが第１の閾値未満であれば伝搬環境が良好である位置を問い合わせる位置取得要求を位置情報サービス装置に送信する処理と、位置情報サービス装置から位置情報を受信したことに反応して現在位置と位置情報との間の距離と方向を算出する処理とを実行させることを特徴とする。
【００１７】
上記目的を達成するため、本発明に係る別の位置情報通知プログラムは、通信端末と位置情報サービス装置からなる無線通信システムにあって、位置情報サービス装置を構成するコンピュータに、通信端末からの位置取得要求に対応して自らがあらかじる備える位置情報データベースを検索する処理と、検索された位置情報を通信端末に返信する処理とを実行させることを特徴とする。
【発明の効果】
【００１８】
本発明は、上記したように通信端末からの位置取得要求を受けた位置情報サービス装置が位置情報データベースを検索して得られた位置情報のみを通信端末に返信するように構成したので、位置情報サービス装置は統計学的な処理などを行う必要はなく、また地図などの画像イメージを通信端末に送信する必要もない。これによって、基地局および携帯端末での処理の量を抑制し、またそれらの相互間で伝送されるデータの量を抑制しつつ、実際に良好な伝搬環境を得られる場所にユーザを導くことができるという、従来にない優れた無線通信システム、通信端末、位置情報サービス装置、伝搬環境通知方法およびプログラムを提供することができる。
【発明を実施するための最良の形態】
【００１９】
図１は、本発明の第１の実施の形態に係る携帯電話システム１の構成を示す概念図である。基地局１０は、その周辺の携帯端末１００ａ、１００ｂ、１００ｃ…に向けて電波を送信し、無線通信を行う。その際、基地局１０と各々の携帯端末との距離などに応じて、伝搬環境が異なる。なお、携帯端末１００ａ、１００ｂ、１００ｃ…の全てを総称して携帯端末１００という。
【００２０】
基地局１０に近く、伝搬環境が良好である区域を良伝搬環境ゾーン２０１とする。基地局１０から遠く、基地局１０から電波が辛うじて到達可能な区域を悪伝搬環境ゾーン２０３とする。悪伝搬環境ゾーン２０３は、基地局１０の通信可能な範囲であるセル範囲の端部をなす。良伝搬環境ゾーン２０１と悪伝搬環境ゾーン２０３の中間の範囲を、中間伝搬環境ゾーン２０２とする。
【００２１】
良伝搬環境ゾーン２０１は基地局１０を囲む形となる。中間伝搬環境ゾーン２０２は良伝搬環境ゾーン２０１の周囲を囲む形となる。悪伝搬環境ゾーン２０３は中間伝搬環境ゾーン２０２の周囲を囲む形となる。携帯端末１００ａは良伝搬環境ゾーン２０１に、携帯端末１００ｂは中間伝搬環境ゾーン２０２に、携帯端末１００ｃは悪伝搬環境ゾーン２０３に、それぞれ存在する。
【００２２】
図２は、図１で開示した良伝搬環境ゾーン２０１〜悪伝搬環境ゾーン２０３における携帯端末１００のＣＱＩについて示す概念図である。本実施の形態において、ＣＱＩに２通りの閾値ｍおよびｎを設定する。ｍ＞ｎ＞０である。ＣＱＩがｍ以上である区域が良伝搬環境ゾーン２０１である。ＣＱＩがｍ未満ｎ以上である区域が中間伝搬環境ゾーン２０２である。ＣＱＩがｎ以下である区域が悪伝搬環境ゾーン２０３である。
【００２３】
図３は、図１で開示した基地局１０の構成について示すブロック図である。基地局１０は、制御部１２、無線部１３、位置情報データベース１４とで構成される。制御部１２は、ＭＰＵ、ＲＡＭ、ＯＳなどによって構成されるコンピュータプログラムの実行主体であり、判定部１１は制御部１２の上で実行されるソフトウェアである。
【００２４】
無線部１３は、無線信号を携帯端末１００に向けて発射し、携帯端末１００からの無線信号を受信する、Ｗ−ＣＤＭＡのＨＳＤＰＡに対応する無線モジュールである。位置情報データベース１４は、携帯端末の現在位置とＣＱＩとを対応づけて格納する。判定部１１は、無線部１３を介して携帯端末１００から受信するＣＱＩを図２の閾値ｍおよびｎと比較し、その判定結果に応じて以後に述べる機能を実行する。
【００２５】
図４は、図１で開示した携帯端末１００の構成について示すブロック図である。携帯端末１００は、キーボード１０１、ディスプレイ１０２、加速度センサ１０３、制御部１０５、無線部１０６、ＧＰＳ部１０７、スピーカ１０８、マイク１０９とで構成される。制御部１０５は、ＭＰＵ、ＲＡＭ、ＯＳなどによって構成されるコンピュータプログラムの実行主体であり、演算部１０４は制御部１０５の上で実行されるソフトウェアである。
【００２６】
キーボード１０１は、ユーザの操作を入力する装置であるが、この中に基地局からの良好な伝搬環境の位置を受信する為の開始ボタン１０１ａを含む。ディスプレイ１０２は、開始ボタン１０１ａで受信を開始した、基地局１０から受信した良好な伝搬環境の位置までの方角を表示する。
【００２７】
加速度センサ１０３は、携帯端末１００が向いている方向を表示する。無線部１０６は、Ｗ−ＣＤＭＡのＨＳＤＰＡに対応する無線モジュールであり、基地局１０と通信する。ＧＰＳ部１０７は、ＧＰＳ（Global  Positioning  System）アンテナおよび該ＧＰＳアンテナを駆動するソフトウェアなどからなり、携帯端末１００の現在位置を測位して取得する。
【００２８】
演算部１０４は、無線部１０６から定常的に通信状態を取得し、また取得した通信状態を記憶して、後で述べる判断と処理を行う。また演算部１０４は、ＧＰＳ部１０７が取得した携帯端末１００の現在位置から、基地局１０から受信した良好な伝搬環境の位置までの距離を計算する。スピーカ１０８およびマイク１０９は、携帯端末１００における音声通話に使用される。
【００２９】
なお、携帯端末１００は、音声通話機能を有さない、データ通信専用のものであってもよい。その場合、スピーカ１０８およびマイク１０９は省略される。
【００３０】
図５は、図１〜２で開示した良伝搬環境ゾーン２０１にいる携帯端末１００ａが自らの現在位置を基地局１０に送信する際に演算部１０４が行う動作を表すフローチャートである。携帯端末１００ａが起動して処理を開始すると、演算部１０４はまず自らの設定を確認し、位置通知機能が有効であるか否かを判断する（ステップＳ３０１）。無効であれば、有効となるまで処理を保留する。
【００３１】
ステップＳ３０１で位置通知機能が有効であれば、演算部１０４は無線部１０６の通信状態を確認し、ＨＳＤＰＡ通信を行っているか否かを判断する（ステップＳ３０２）。無線部１０６がＨＳＤＰＡ通信を行っていなければ、ＨＳＤＰＡ通信が確立されるまで処理を保留する。
【００３２】
無線部１０６がＨＳＤＰＡ通信を行っていれば、次に演算部１０４は無線部１０６から取得された該ＨＳＤＰＡ通信におけるＣＱＩ値の、所定のｓ秒間における移動平均値が閾値ｍ以上であるか否かを判断する（ステップＳ３０３）。なお演算部１０４は、少なくとも過去ｓ秒間におけるＣＱＩ値を記憶することが可能である。携帯端末１００ａが良伝搬環境ゾーン２０１にいれば、ステップＳ３０３の判断はＹＥＳとなるので、以下この前提で説明を続行する。なお、ステップＳ３０３がＮＯである場合については後述する。
【００３３】
ステップＳ３０３の判断がＹＥＳとなることにより、携帯端末１００ａは良伝搬環境ゾーン２０１にいることが確認されたので、演算部１０４はディスプレイ１０２に「伝搬環境良好、通知開始」の旨を表示する（ステップＳ３０４）。なお、ステップＳ３０４の表示は省略することもできる。演算部１０４は、基地局１０からの位置要求信号を待つ状態となる（ステップＳ３０５）。
【００３４】
基地局１０からの位置要求信号を受けた旨が無線部１０６から演算部１０４に報告されたら、演算部１０４はＧＰＳ部１０７に現在位置を測位させて取得する（ステップＳ３０６）。その際、ＧＰＳ部１０７が受信した衛星波の受信レベル（測位レベル）についても、演算部１０４に報告される。
【００３５】
演算部１０４は、ＧＰＳ部１０７から報告された測位レベルが良好であるか否かを判断する（ステップＳ３０７）。良好でなければステップＳ３０６に戻ってＧＰＳ部１０７に測位をやり直させる。その際、測位やり直しの回数を所定のｔ回に制限し、ｔ回測位しても良好な測位レベルが得られない場合は、そこで処理を打ち切ってステップＳ３０１に戻るようにしてもよい。
【００３６】
測位レベルが良好であれば演算部１０４は無線部１０６を介して、ＧＰＳ部１０７から取得した現在位置と現在の通信におけるＣＱＩ値とを基地局１０に報告して（ステップＳ３０８）ステップＳ３０１に戻る。基地局１０は、携帯端末１００ａから受信した現在位置を、良好な伝搬環境を得られる位置として、所定のｕ秒間、位置情報データベース１４に保存する。
【００３７】
前述のステップＳ３０３の判断がＮＯとなると、携帯端末１００は良伝搬環境ゾーン２０１にいないということになる。そこで演算部１０４は、前述のＣＱＩ値のｓ秒間における移動平均値が閾値ｎ未満であるか否かを判断する（ステップＳ３１０）。閾値ｎ未満であれば、携帯端末１００は悪伝搬環境ゾーン２０３にいることになるので、後述の図７に示す処理に移行する（ステップＳ３１１）。閾値ｎ以上であれば、携帯端末１００は中間伝搬環境ゾーン２０２にいることになるので、演算部１０４はディスプレイ１０２に「伝搬環境良好」の旨を表示し（ステップＳ３１２）、ステップＳ３０３に戻って処理を続行する。
【００３８】
図６は、図３で開示した位置情報データベース１４の記録内容を示す概念図である。位置情報データベース１４は、端末位置１４１、ＣＱＩ値１４２、記録時間１４３を含む。端末位置１４１とＣＱＩ値１４２は、いずれも前述のステップＳ３０８で、携帯端末１００ａから受信した値である。記録時間１４３は、それらの端末位置１４１およびＣＱＩ値１４２を携帯端末１００ａから受信した時刻である。
【００３９】
判定部１１は位置情報データベース１４の記録データを定常的にチェックし、記録時間１４３から所定のｕ秒以上が経過したデータを、位置情報データベース１４から消去する。このことによって、時間的な変動の要因を排除し、現時点から所定のｕ秒間以内に閾値ｍ以上の良好なＣＱＩを得ることができた位置のみが、端末位置１４１として位置情報データベース１４に記録されることとなる。つまり、現時点においても良伝搬環境ゾーン２０１に含まれ、良好な伝搬環境を得られる位置が、位置情報データベース１４に記録されていると考えることができる。
【００４０】
図７は、図１〜２で開示した悪伝搬環境ゾーン２０３にいる携帯端末１００ｃが良好な伝搬環境を得られる位置を基地局１０から受信する際に、携帯端末１００の演算部１０４および基地局１０の判定部１１が行う動作を表すフローチャートである。図５のステップＳ３１１から呼び出されて処理を開始すると、演算部１０４は無線部１０６の通信状態を確認し、ＨＳＤＰＡ通信を行っているか否かを判断する（ステップＳ４０１）。または、図５の処理が行われている状態から、開始ボタン１０１ａが押されたことによってステップＳ４０１から処理を開始することもできる。
【００４１】
無線部１０６がＨＳＤＰＡ通信を行っていなければ、演算部１０４はディスプレイ１０２に「ＨＳＤＰＡエリア外」の旨を表示して（ステップＳ４１０）図５のステップＳ３０１に戻る。
【００４２】
無線部１０６がＨＳＤＰＡ通信を行っていれば、次に演算部１０４は無線部１０６から取得された該ＨＳＤＰＡ通信におけるＣＱＩ値の、所定のｓ秒間における移動平均値が閾値ｎ未満であるか否かを判断する（ステップＳ４０２）。携帯端末１００ｃが悪伝搬環境ゾーン２０３にいれば、ステップＳ４０２の判断はＹＥＳとなるので、以下この前提で説明を続行する。なお、ステップＳ４０２がＮＯである場合については後述する。
【００４３】
ステップＳ４０２の判断がＹＥＳとなることにより、携帯端末１００ｃは悪伝搬環境ゾーン２０３にいることが確認されたので、演算部１０４は無線部１０６を介して、基地局１０に良好な伝搬環境を得られる位置を取得する位置取得要求を発信する。
【００４４】
基地局１０の判定部１１は、携帯端末１００ｃからの位置取得要求を受信すると、位置情報データベース１４に、同一基地局エリア内で前述のステップＳ３０８の処理によって報告された位置情報が存在するか否かを判断する（ステップＳ４０３）。
【００４５】
ステップＳ４０３で位置情報データベース１４に登録された位置情報が存在すれば、判定部１１は無線部１３を介して、携帯端末１００ｃに対して位置要求信号を送信する（ステップＳ４０４）。存在しなければ、判定部１１は無線部１３を介してその旨を携帯端末１００ｃに送信し、携帯端末１００ｃの演算部１０４はそれを受けてディスプレイ１０２に「通知エリアなし」の旨を表示して（ステップＳ４０９）図５のステップＳ３０１に戻る。
【００４６】
位置要求信号を無線部１０６を介して受けた演算部１０４は、前述のステップＳ３０６〜３０７と同様にしてＧＰＳ部１０７に現在位置を測位させて取得し（ステップＳ４０５）、取得された現在位置を基地局１０に報告する（ステップＳ４０６）。
【００４７】
携帯端末１００ｃから現在位置情報を受けた判定部１１は、該現在位置に最も近い端末位置１４１を、位置情報データベース１４から検索する。ここで検索して得られた端末位置１４１は、携帯端末１００ｃの現在位置に最も近い位置で、かつＣＱＩがｍ以上である良好な伝搬環境を得られる位置である。判定部１１は、検索して得られた端末位置１４１を無線部１３を介して携帯端末１００ｃに送信する（ステップＳ４０７）。
【００４８】
位置情報を無線部１０６を介して受けた演算部１０４は、基地局１０から送信された端末位置１４１と、現在の自身の位置とを比較する。その際、加速度センサ１０３によって現在の自身が向いている方向を取得する。それらの情報から、演算部１０４は端末位置１４１への方角と距離とを算出し、ディスプレイ１０２に表示して（ステップＳ４０８）図５のステップＳ３０１に戻る。
【００４９】
その際、基地局１０が単一の端末位置１４１を携帯端末１００ｃに送信するのではなく、携帯端末１００ｃに近い順から複数の端末位置１４１を送信し、演算部１０４はそれら複数の位置情報の各々に対して方角と距離とを算出し、ディスプレイ１０２に候補として表示するようにしてもよい。
【００５０】
前述のステップＳ４０２の判断がＮＯとなると、携帯端末１００は悪伝搬環境ゾーン２０３にいないということになる。そこで演算部１０４は、前述のＣＱＩ値のｓ秒間における移動平均値が閾値ｍ以上であるか否かを判断する（ステップＳ４１１）。閾値ｍ以上であれば、携帯端末１００は良伝搬環境ゾーン２０１にいることになるので、図５のステップＳ３０１に戻る（ステップＳ４１２）。閾値ｍ未満であれば、携帯端末１００は中間伝搬環境ゾーン２０２にいることになるので、演算部１０４はディスプレイ１０２に「伝搬環境良好」の旨を表示し（ステップＳ４１３）図５のステップＳ３０１に戻る。
【００５１】
以上で説明したように、本実施の形態によれば、悪伝搬環境ゾーン２０３にいる携帯端末１００のユーザに対して、良好な伝搬環境を得られる位置への方向と距離を提示して、そこに移動するように促すことにより、通信品質を向上させることができる。その際、通知される端末位置１４１は、実際の使用環境において測定され報告された位置である。そのため、理論値や統計学的処理などに基づいて推定された位置と比べて、信頼性が高い。さらに、統計学的処理などを行わなくてもよいので、基地局１０の側での処理の量を少なくできる。
【００５２】
また、基地局１０から携帯端末１００に送信されるのは位置情報だけであり、地図そのものが画像として送信されるのではない。そのため、基地局１０と携帯端末１００との間で伝送されるデータの量は少なくて済む。
【００５３】
本発明の第２の実施の形態は、システムおよび機器の構成は第１の実施の形態で説明したものと同一であるので、説明を省略する。また、良伝搬環境ゾーン２０１にいる携帯端末１００ａが自らの現在位置を基地局１０に送信する際に演算部１０４が行う動作も、図５と同一であるので説明を省略する。
【００５４】
第２の実施の形態が第１の実施の形態と相違する点は、第１の実施の形態は良好な伝搬環境を得られる位置の中で携帯端末１００に最も近い端末位置１４１について、携帯端末１００が基地局１０から受信していたのに対して、第２の実施の形態では位置情報データベース１４に登録されている中で最もＣＱＩ値１４２の高い位置についての端末位置１４１を受信する点にある。
【００５５】
図８は、本発明の第２の実施の形態で、悪伝搬環境ゾーン２０３にいる携帯端末１００ｃが良好な伝搬環境を得られる位置を基地局１０から受信する際に、携帯端末１００の演算部１０４および基地局１０の判定部１１が行う動作を表すフローチャートである。図８において、図７と同一の処理については、参照番号を図７と同一として説明を省略する。
【００５６】
開始からステップＳ４０３までは、図７と同一である。ステップＳ４０３で位置情報データベース１４に登録された位置情報が存在すれば、判定部１１は無線部１３を介して、位置情報データベース１４に登録された地点の中で最もＣＱＩ値１４２の高い地点の端末位置１４１を携帯端末１００ｃに対して送信する（ステップＳ５０４）。
【００５７】
該端末位置１４１を無線部１０６を介して受けた演算部１０４は、前述のステップＳ３０６〜３０７と同様にしてＧＰＳ部１０７に現在位置を測位させて取得し（ステップＳ５０５）、ステップＳ４０８と同様にして現在の自身の位置から端末位置１４１への方角と距離とを算出し、ディスプレイ１０２に表示して（ステップＳ５０６）図５のステップＳ３０１に戻る。上記以外は、図７と同一である。
【００５８】
第２の実施の形態は、携帯端末１００が自身の位置を基地局１０に送信しなくてよいし、また基地局１０が携帯端末１００に最も近い端末位置１４１を検索する必要もない。従って、第１の実施の形態と比べて、基地局１０および携帯端末１００の双方において処理の量と伝送されるデータの量をさらに少なくすることができる。
【００５９】
図９は、本発明の第３の実施の形態に係る携帯電話システム６０１の構成を示す概念図である。図１０は、図９で開示した基地局６１０および位置情報サーバ６２０の構成について示すブロック図である。
【００６０】
ここまでで説明した第１および第２の実施の形態においては、基地局１０が制御部１２、無線部１３、位置情報データベース１４とを持つようにしていたが、第３の実施の形態では基地局６１０は無線部１３のみを持ち、基地局６１０とは独立した装置である位置情報サーバ６２０が制御部１２と位置情報データベース１４とを持つ。各々が携帯端末１００と通信する複数の基地局６１０は、位置情報サーバ６２０に接続される。その際の接続手段は問わない。
【００６１】
制御部１２、無線部１３、位置情報データベース１４の各々の動作は、第１の実施の形態で説明したものと同一であるので、説明を省略する。しかしながら、位置情報サーバ６２０を基地局６１０とは独立した装置とすることにより、１つの位置情報サーバ６２０によって、複数の基地局６１０が受け持つ複数のセル範囲において、第１の実施の形態で説明したものと同一のサービスを提供することができる。各々の基地局に第１および第２の実施の形態で説明したような機能を持たせる必要がないので、設置に係るコストを低く抑えることができる。
【００６２】
また、第１〜第３の実施の形態はいずれもＨＳＤＰＡという通信方式におけるものであり、ＣＱＩを伝搬環境を表すパラメータとして利用してきた。しかしながら、本発明はこの通信方式およびパラメータに限定されるものではない。特定のパラメータによって伝搬環境を表すことのできる通信方式であれば、本発明を適用することが可能である。
【００６３】
これまで本発明について図面に示した特定の実施の形態をもって説明してきたが、本発明は図面に示した実施の形態に限定されるものではなく、本発明の効果を奏する限り、これまで知られたいかなる構成であっても採用することができることは言うまでもないことである。
【産業上の利用可能性】
【００６４】
特定のパラメータによって伝搬環境を表すことのできる通信方式を適用する無線通信システムにおいて利用可能である。特に、該パラメータに応じて通信フォーマットを変更する通信方式に適している。
【図面の簡単な説明】
【００６５】
【図１】本発明の第１の実施の形態に係る携帯電話システムの構成を示す概念図である。
【図２】図１で開示した良伝搬環境ゾーン〜悪伝搬環境ゾーンにおける携帯端末のＣＱＩについて示す概念図である。
【図３】図１で開示した基地局の構成について示すブロック図である。
【図４】図１で開示した携帯端末の構成について示すブロック図である。
【図５】図１〜２で開示した良伝搬環境ゾーンにいる携帯端末が自らの現在位置を基地局に送信する際に演算部が行う動作を表すフローチャートである。
【図６】図３で開示した位置情報データベース１４の記録内容を示す概念図である。
【図７】図１〜２で開示した悪伝搬環境ゾーンにいる携帯端末が良好な伝搬環境を得られる位置を基地局から受信する際に、携帯端末の演算部および基地局の判定部が行う動作を表すフローチャートである。
【図８】本発明の第２の実施の形態で、悪伝搬環境ゾーンにいる携帯端末が良好な伝搬環境を得られる位置を基地局から受信する際に、携帯端末の演算部および基地局の判定部が行う動作を表すフローチャートである。
【図９】本発明の第３の実施の形態に係る携帯電話システムの構成を示す概念図である。
【図１０】図９で開示した基地局および位置情報サーバの構成について示すブロック図である。
【符号の説明】
【００６６】
１、６０１  携帯電話システム（無線通信システム）
１０  基地局（位置情報サービス装置）
１１  判定部
１２  制御部
１３  無線部
１４  位置情報データベース
１００、１００ａ〜ｃ  携帯端末
１０２  ディスプレイ
１０３  加速度センサ
１０４  演算部
１０５  制御部
１０６  無線部
１０７  ＧＰＳ部
６１０  基地局
６２０  位置情報サーバ（位置情報サービス装置）
【図１】
2009135648.tif 000003
【図２】
2009135648.tif 000004
【図３】
2009135648.tif 000005
【図４】
2009135648.tif 000006
【図５】
2009135648.tif 000007
【図６】
2009135648.tif 000008
【図７】
2009135648.tif 000009
【図８】
2009135648.tif 000010
【図９】
2009135648.tif 000011
【図１０】
2009135648.tif 000012